(57)【要約】【課題】回転軸と駆動レバーの嵌め合いによるガタを無くして、ドアと駆動レバーの角度ズレを無くす。【解決手段】ドア１０Ａと回転軸１１と駆動レバー１２を一体成形品１０で構成する。軸受孔１６を半割りする位置でケーシング１を２分割する。ケーシング１を分割した状態で、２つの分割ケーシング１Ａ、１Ｂの内部にドア１０Ａを収容すると共に、軸受孔１６の各半割部分で回転軸１１を収容し、その状態で、２つの分割ケーシング１Ａ、１Ｂを合体させる。回転軸１１上に、ケーシング１の両側壁に当たる鍔１３を一体に形成する。【選択図】図２
2006027524.tif 000002
【特許請求の範囲】
【請求項１】
ケーシング（１）内の通路の開度を調整する回転式ドア（１０Ａ）の回転軸（１１）の両端を、前記ケーシング（１）の両側壁に形成した軸受孔（１６）に回転自在に嵌め込み、該軸受孔（１６）から前記ケーシング（１）外部に突出した前記回転軸（１１）の端部に、該回転軸（１１）を介して前記回転式ドア（１０Ａ）を回転駆動するための駆動レバー（１２）を取り付けた空調用ドア装置において、
前記ドア（１０Ａ）と回転軸（１１）と駆動レバー（１２）とを一体成形品（１０）で構成すると共に、前記軸受孔（１６）を半割りする位置で前記ケーシング（１）を２分割し、
該ケーシング（１）を分割した状態で、２つの分割ケーシング（１Ａ、１Ｂ）の内部に前記ドア（１０Ａ）を収容すると共に、前記軸受孔（１６）の各半割部分で前記回転軸（１１）を収容し、その状態で２つの分割ケーシング（１Ａ、１Ｂ）を合体させたことを特徴とする空調用ドア装置。
【請求項２】
請求項１に記載の空調用ドア装置であって、
前記回転軸（１１）上に、前記ケーシング（１）の両側壁に当たる鍔（１３）を一体に形成したことを特徴とする空調用ドア装置。
【発明の詳細な説明】
【技術分野】
【０００１】
本発明は、例えば車両用空調装置のインテークドアとして有用な空調用ドア装置に関する。
【背景技術】
【０００２】
車両用空調装置のケーシングには、通路を開閉したり開度を調整するための各種のドアが装備されている。これらのドアは、通常、軽量化のために樹脂の成形品で構成されており、軸受孔からケーシング外部に突出したその回転軸の端部に別物の駆動レバーを嵌合し、この駆動レバーをアクチュエータで操作することにより、回転軸を介してドアの回転角度を調整するようになっている（例えば、特許文献１参照）。
【特許文献１】特開平９−１６４８３５号公報
【発明の開示】
【発明が解決しようとする課題】
【０００３】
しかし従来では、駆動レバーとドアを別部品として構成してドアの回転軸と駆動レバーを後から嵌合していたので、嵌合部にガタが発生しやすく、駆動レバーの角度とドアの角度にズレが発生するおそれがあった。
【０００４】
本発明は、上記事情を考慮し、正確な角度調整が可能な空調用ドア装置を提供することを目的とする。
【課題を解決するための手段】
【０００５】
請求項１の発明は、ケーシング内の通路の開度を調整する回転式ドアの回転軸の両端を、前記ケーシングの両側壁に形成した軸受孔に回転自在に嵌め込み、該軸受孔から前記ケーシング外部に突出した前記回転軸の端部に、該回転軸を介して前記回転式ドアを回転駆動するための駆動レバーを取り付けた空調用ドア装置において、前記ドアと回転軸と駆動レバーとを一体成形品で構成すると共に、前記軸受孔を半割りする位置で前記ケーシングを２分割し、該ケーシングを分割した状態で、２つの分割ケーシングの内部に前記ドアを収容すると共に前記軸受孔の各半割部分で前記回転軸を収容し、その状態で２つの分割ケーシングを合体させたことを特徴とする。
【０００６】
請求項２の発明は、請求項１に記載の空調用ドア装置であって、前記回転軸上に、前記ケーシングの両側壁に当たる鍔を一体に形成したことを特徴とする。
【発明の効果】
【０００７】
請求項１の発明によれば、ドアと駆動レバーを一体化したので嵌め合いによるガタを無くすことができる。従ってドアと駆動レバーの角度を完全に一致させることができるので正確な角度調整が可能となる。
【０００８】
請求項２の発明によれば、鍔が軸受孔をシールするため、軸受孔と回転軸との間に生じる隙間から空調風が漏れにくい構造となる。また、回転軸上に設けた鍔によって回転軸の軸方向位置を正しく規制できるので、ドアの作動の確実化を図ることができる。
【発明を実施するための最良の形態】
【０００９】
以下、本発明の実施形態を図面に基づいて説明する。
【００１０】
図１はインテークドア装置として適用された実施形態のドア装置の構成図であり、（ａ）は外観斜視図、（ｂ）は断面図、図２及び図３は同ドア装置の原理構成を示す説明図であり、図２は分解斜視図、図３（ａ）は組立状態の斜視図、（ｂ）は組立状態の断面図である。
【００１１】
ここでは、実際のケーシングの構成やドアの構成は、図１を用いて説明し、原理的な構成は、図２及び図３を用いて説明する。図中の共通する符号は若干形状は違うものもあるが、共通する部材や要素を示している。
【００１２】
まず、原理構成について説明すると、このドア装置では、図２に示すように、ケーシング１内の通路の開度を調整する回転式ドア１０Ａの回転軸１１の両端を、ケーシング１の両側壁に形成した軸受孔１６に回転自在に嵌め込み、軸受孔１６からケーシング１の外部に突出した回転軸１１の一端部に、回転軸１１を介してドア１０Ａを回転駆動するための駆動レバー１２を取り付けている。
【００１３】
この場合、ドア１０Ａと回転軸１１と駆動レバー１２は、一体の樹脂成形品１０で構成されており、回転軸１１上には、ケーシング１の両側壁の外側に当たる鍔１３が一体に形成されている。また、軸受孔１６を半割りする位置で、ケーシング１が２分割されている。図２中の１５は分割端面であり、分割端面上に軸受孔１６の半割部分（半円溝）が位置している。
【００１４】
そして、ケーシング１を分割した状態で、２つの分割ケーシング１Ａ、１Ｂの内部にドア１０Ａを収容すると共に、軸受孔１６の各半割部分で回転軸１１を収容し、その状態で、２つの分割ケーシング１Ａ、１Ｂを合体させることにより、図３に示すような空調用ドア装置が構成されている。
【００１５】
この構成を実際のインテークドア装置に適用したのが図１のものである。この図１において、ケーシング１は、分割線Ｌで上下に２分割されており、この分割線Ｌは、ドア１０Ａの回転軸１１を支持する軸受孔１６を上下に２分割している。
【００１６】
２分割されたケーシング１のうち、上側の分割ケーシング１Ａの上面壁には内気取入口２Ａが設けられ、下側の分割ケーシング２Ｂの傾斜下面壁には外気取入口２Ｂが設けられている。そして、下側の分割ケーシング２Ｂの傾斜下面壁と上側の分割ケーシング１Ａの上面壁の交わる角部付近に配置された軸受孔１６に、ドア１０Ａの回転軸１１が回転自在に支持されており、これにより、ドア１０Ａが、内気取入口２Ａと外気取入口２Ｂを選択的に開閉するようになっている。なお、ドア１０Ａの両板面には、内気取入口２Ａと外気取入口２Ｂを密に閉鎖できるようにパッキン材２０が張り付けられている。
【００１７】
このように、ドア１０Ａと回転軸１１と駆動レバー１２とを一体の樹脂成形品１０で構成した場合、レバーと回転軸の嵌め合いによるガタを無くすことができる。従って、ドア１０Ａと駆動レバー１２の角度を完全に一致させることができ、正確な角度調整が可能となり、閉鎖時における空気洩れ防止を図ることができる。また、回転軸１１上に設けた鍔１３が軸受孔１６をシールするため、軸受孔１６と回転軸１１との間に生じる隙間から空調風が漏れにくい構造となる。また、回転軸上に設けた鍔によって回転軸の軸方向位置を正しく規制できるので、ドアの作動の確実化を図ることができる。
【図面の簡単な説明】
【００１８】
【図１】本発明の実施形態のドア装置を実際にインテークドア装置として適用した場合の構成を示す図であり、（ａ）は外観斜視図、（ｂ）は断面図である。
【図２】本発明の実施形態のドア装置の原理構成を示す分解斜視図である。
【図３】（ａ）は図２に示した構成の組立状態の斜視図、（ｂ）は組立状態の断面図である。
【符号の説明】
【００１９】
１  ケーシング
１Ａ，１Ｂ  分割ケーシング
１０  一体の樹脂成形品
１０Ａ  ドア
１１  回転軸
１２  駆動レバー
１３  鍔
１６  軸受孔
【図１】
2006027524.tif 000003
【図２】
2006027524.tif 000004
【図３】
2006027524.tif 000005